(57)【要約】【課題】不当な防犯機能の停止行為を抑制するとともに、防犯受信器の設置位置を容易に変更できるようにする。【解決手段】防犯受信器２０は、直流電源により駆動し、検知信号を受信した場合に自身の動作状態に応じて異常状態となったことを報知する受信器本体２０Ａと、当該防犯システム１が敷設された建物の壁内に埋設するように固定設置され、交流電源を直流電源に変換し、直流電源を受信器本体２０Ａへと供給する電源部２０Ｂとからなり、受信器本体２０Ａは、電源部２０Ｂに対して着脱自在に係止される係止開口部６２を有し、係止開口部６２を介して電源部２０Ｂに係止される際に、電源部２０Ｂと電気的に接続されることで実現する。【選択図】図６
2008217485.tif 000002
【特許請求の範囲】
【請求項１】
何らかの異常状態を検知したことに応じて、検知信号を無線信号として送信する検知センサと、前記検知センサによって送信された検知信号を受信したことに応じて所定の防犯処理を実行する防犯受信器とを備える防犯システムにおいて、
前記防犯受信器は、直流電源により駆動し、前記検知信号を受信した場合に自身の動作状態に応じて異常状態となったことを報知する受信器本体と、
当該防犯システムが敷設された建物の壁内に埋設するように固定設置され、交流電源を直流電源に変換し、前記直流電源を前記受信器本体へと供給する電源部とからなり、
前記受信器本体は、前記電源部に対して着脱自在に係止される係止部を有し、前記係止部を介して前記電源部に係止される際に、前記電源部と電気的に接続されること
を特徴とする防犯システム。
【請求項２】
何らかの異常状態を検知したことに応じて、検知信号を無線信号として送信する検知センサと、前記検知センサによって送信された検知信号を受信したことに応じて所定の防犯処理を実行する防犯受信器とを備える防犯システムの防犯受信器において、
当該防犯受信器は、直流電源により駆動し、前記検知信号を受信した場合に自身の動作状態に応じて異常状態となったことを報知する受信器本体と、
前記防犯システムが敷設された建物の壁内に埋設するように固定設置され、交流電源を直流電源に変換し、前記直流電源を前記受信器本体へと供給する電源部とからなり、
前記受信器本体は、前記電源部に対して着脱自在に係止される係止部を有し、前記係止部を介して前記電源部に係止される際に、前記電源部と電気的に接続されること
を特徴とする防犯受信器。
【発明の詳細な説明】
【技術分野】
【０００１】
本発明は、何らかの異常状態を検知し、検知結果に応じた防犯処理を実行する防犯システム及び防犯受信器に関する。
【背景技術】
【０００２】
外部から建物内への不法な侵入を防止するために、扉、窓などに設置した検知センサ（センサ）と、侵入を検知した検知センサから送信されるワイヤレス信号を受信して警報を発する防犯受信器（ワイヤレス防犯受信器）とを備えた防犯システムが考案、実施されている（例えば、特許文献１参照。）。
【０００３】
【特許文献１】特開２００５−１７３８３７号公報
【発明の開示】
【発明が解決しようとする課題】
【０００４】
このような防犯システムの防犯受信器は、宅内の壁面などに設けられたコンセントを介して供給される商用交流電源を変換した直流電源、または内蔵された電池によって駆動している。したがって、コンセントから電源プラグを抜く、電池を取り出すといった簡単な行為で防犯受信器の動作を容易に停止させることができてしまう。
【０００５】
つまり、防犯システムを起動させていたとしても、宅内に不法に侵入した侵入者によって上述したような防犯受信器の動作を停止させる行為を実行されることで、防犯機能を容易に停止させられてしまう可能性があるといった問題がある。
【０００６】
そこで、このような問題を解決するために、防犯受信器を宅内の壁面に固定設置させ、壁内に埋設配線された電源線から直接、電源供給されるようにする構成が考えられる。しかしながら、このように、防犯受信器を壁面に完全に固定設置させてしまうと、例えば、室内のレイアウト変更などによって、防犯受信器の設置位置を変更したい場合などに臨機応変に対応することができないといった問題がある。
【０００７】
そこで、本発明は、上述したような問題を解決するために案出されたものであり、第３者による不当な防犯機能の停止行為を抑制するとともに、防犯受信器の設置位置を容易に変更することができる防犯システム及び防犯受信器を提供することを目的とする。
【課題を解決するための手段】
【０００８】
本発明の防犯システムは、何らかの異常状態を検知したことに応じて、検知信号を無線信号として送信する検知センサと、前記検知センサによって送信された検知信号を受信したことに応じて所定の防犯処理を実行する防犯受信器とを備える防犯システムにおいて、前記防犯受信器が、直流電源により駆動し、前記検知信号を受信した場合に自身の動作状態に応じて異常状態となったことを報知する受信器本体と、当該防犯システムが敷設された建物の壁面に埋設するように固定設置され、交流電源を直流電源に変換し、前記直流電源を前記受信器本体へと供給する電源部とからなる。そして、前記受信器本体は、前記電源部に対して着脱自在に係止される係止部を有し、前記係止部を介して前記電源部に係止される際に、前記電源部と電気的に接続されることで、上述の課題を解決する。
【０００９】
本発明の防犯受信器は、何らかの異常状態を検知したことに応じて、検知信号を無線信号として送信する検知センサと、前記検知センサによって送信された検知信号を受信したことに応じて所定の防犯処理を実行する防犯受信器とを備える防犯システムの防犯受信器において、当該防犯受信器は、直流電源により駆動し、前記検知信号を受信した場合に自身の動作状態に応じて異常状態となったことを報知する受信器本体と、前記防犯システムが敷設された建物の壁内に埋設するように固定設置され、交流電源を直流電源に変換し、前記直流電源を前記受信器本体へと供給する電源部とからなる。そして、前記受信器本体は、前記電源部に対して着脱自在に係止される係止部を有し、前記係止部を介して前記電源部に係止される際に、前記電源部と電気的に接続されることで、上述の課題を解決する。
【発明の効果】
【００１０】
本発明によれば、第３者による不当な防犯機能の停止行為を抑制するとともに、防犯受信器の設置位置を容易に変更することを可能とする。
【発明を実施するための最良の形態】
【００１１】
以下、本発明の実施の形態について図面を参照して説明する。
【００１２】
まず、図１を用いて、本発明の実施の形態として示す防犯システム１について説明をする。防犯システム１は、複数の検知センサ１０ｎ（ｎは、自然数）と、検知センサ１０ｎと所定の周波数帯域を利用して双方向に無線通信することができる防犯受信器２０とを備えている。
【００１３】
まず、図１を用いて、検知センサ１０ｎの機能的な構成について説明をする。検知センサ１０ｎは、防犯受信器２０に無線信号を送信し、防犯受信器２０から送信される無線信号を受信するアンテナ１１、無線送受信部１２と、送信するデータに基づき所定の周波数の搬送波を変調し、受信した無線信号に変調されているデータを復調して取り出す変復調部１３と、当該検知センサ１０ｎを統括的に制御する信号処理部１４と、少なくとも当該検知センサ１０ｎを一意に特定する識別情報を記憶しているデータ記憶部１５と、侵入者を検知するセンサ部１６と、電源制御部１７と、電源制御部１７の制御に応じて当該検知センサ１０ｎの各機能部に電源を供給する電池などの電源１８と、侵入者を威嚇する警報音を鳴動させる音響部１９とを備えている。
【００１４】
このような構成の検知センサ１０ｎは、小型形状をしており電池などの電源１８を内蔵しているため、住宅をはじめとする様々な建物内外のあらゆる場所に設置可能となっている。検知センサ１０ｎが設置される場所は、センサ部１６のセンシング方式によって決定される。
【００１５】
センサ部１６は、防犯システム１で防犯管理している建物内、建物周囲領域内へ不当に侵入した侵入者の存在といった、管理管轄領域内での何らかの異常状態を検知することができるセンサであり、例えば、窓や扉（ドア）の開閉を検知することで侵入者の存在を間接的に検知するマグネットセンサ（開閉センサ）や、物体の温度と人の温度との温度差を検出することで侵入者の存在を直接的に検知する熱線センサなどを利用することができる。
【００１６】
このように、検知センサ１０ｎは、センサ部１６としてマグネットセンサが使用されている場合には、窓や扉（ドア）などに設置され、熱線センサが使用されている場合には、建物の壁や天井などに設置されることになる。
【００１７】
信号処理部１４は、センサ部１６によって、防犯システム１の管理管轄領域内へ不当に侵入した侵入者の存在が検知されたことに応じて、データ記憶部１５に記憶されている当該検知センサ１０ｎを一意に特定する識別情報を読み出し、電源制御部１７を制御して、無線送受信部１２、変復調部１３への電源供給を開始し、さらに、無線送受信部１２、変復調部１３を制御して、読み出した識別情報を添付した無線信号である検知信号をアンテナ１１を介して防犯受信器２０に送信する。
【００１８】
信号処理部１４は、防犯受信器２０から送信され、アンテナ１１、無線送受信部１２を介して無線信号が受信されたことに応じて、変復調部１３で復調された無線信号に添付されている識別情報と、データ記憶部１５に記憶されている当該検知センサ１０ｎを一意に特定する識別情報とを比較し、自身に対して送信された無線信号であるかどうかを判定する。
【００１９】
信号処理部１４は、識別信号が一致した場合には、自身に対して送信された無線信号であると判断して、送信された無線信号の命令要求に応じた処理を実行する。
【００２０】
検知センサ１０ｎは、侵入者を威嚇する威嚇機能を備えている。図１に示すように、検知センサ１０ｎは、音響部１９を備えており、センサ部１６で、侵入者の不当な侵入といった何らかの異常状態を検知した場合に、音響部１９から威嚇音（威嚇メッセージ）を発することで侵入者を威嚇することができる。
【００２１】
なお、検知センサ１０ｎが備える威嚇機能は、当該検知センサ１０ｎの近傍に存在する侵入者を威嚇することができればよいため、上述したように威嚇音を発する音響部１９に限定されるものではなく、例えば、強い光を発光するランプや機械的な機構などであってもよい。
【００２２】
図１に示すように、防犯受信器２０は、当該防犯受信器２０の主要な機能を搭載した受信器本体２０Ａと、受信器本体２０Ａへ電源を供給する電源部２０Ｂとを備えている。電源部２０Ｂは、当該防犯システム１が敷設された建物の壁内に埋設され、商用交流電源を直流電源に変換して受信器本体２０Ａに供給する。これに対し、受信器本体２０Ａは、電源部２０Ｂに対して着脱自在に係止され、電源部２０Ｂに係止される際に電源部２０Ｂと電気的に接続されることになる。このように、受信器本体２０Ａと電源部２０Ｂとからなる防犯受信器２０の外観構成や具体的な設置手法などについては、後で詳細に説明をする。
【００２３】
まず、図１を用いて、受信器本体２０Ａの機能的な構成について説明をする。図１に示すように受信器本体２０Ａは、検知センサ１０ｎに無線信号を送信し、検知センサ１０ｎから送信される無線信号を受信するアンテナ２１、無線送受信部２２と、送信するデータに基づき所定の周波数の搬送波を変調し、受信した無線信号に変調されているデータを復調して取り出す変復調部２３と、当該受信器本体２０Ａを統括的に制御する信号処理部２４と、防犯システム１を構成する全ての検知センサ１０ｎの識別情報を記憶したデータ記憶部２５と、当該受信器本体２０Ａの各種機能を操作するための例えば、押下ボタンなどである操作部２６と、表示部２７と、検知センサ１０ｎから送信された検知信号を受信したことに応じて鳴動し、周囲にいる人に対して、侵入者が検知されたことを報知する音響部２８と、電源部２０Ｂから直流電源が供給される電源供給端子２９と、信号処理部２４からの制御信号を外部機器に出力するための制御信号出力端子３０とを備えている。
【００２４】
制御信号出力端子３０から出力される信号処理部２４からの制御信号を受け取る外部装置としては、防犯システム１を統括的に管理するセンター装置に電話回線などを介して自動的に通報をする自動通報機などがある。自動通報機は、制御信号出力端子３０から出力される制御信号を受信したことに応じて、防犯システム１において何らかの異常状態が発生したことをセンター装置に自動的に通報する。
【００２５】
このような構成の受信器本体２０Ａは、固定設置された電源部２０Ｂに着脱自在に係止される際に、電源供給端子２９と電源部２０Ｂの電源供給コネクタ４２とが接続されて電気的な接続が確立され、電源部２０Ｂから供給される直流電源により駆動する。
【００２６】
また、受信器本体２０Ａは、外部電源入力端子３１を備えており、電源部２０Ｂのように商用交流電源を直流電源に変換して供給するＡＣアダプターなどを接続して駆動させることもできる。
【００２７】
表示部２７は、例えば、ＬＥＤ（Light Emitting Diode）といった発光素子や、発光ランプなどである。表示部２７は、検知センサ１０ｎから送信された無線信号を受信した場合や、操作部２６が操作された場合に、信号処理部２４による点灯、消灯、点滅制御に応じて表示形態を変えることで、信号受信状況や、操作状況などをユーザに視覚的に提示する。例えば、検知センサ１０ｎから送信された検知信号を受信した場合には、検知センサ１０ｎの設置により侵入者を検知することが可能となった検知エリアを特定する発光ランプが点滅し、侵入者の位置をユーザに通知する。
【００２８】
表示部２７は、ユーザが一瞥して表示結果を視認することができればどのようなものであってもよく、例えば、赤色光、緑色光、青色光を発光することができるＬＥＤを用い、発光色の組み合わせを変えることで上述した消灯、点灯、点滅と同じように表示形態を変えることもできる。また、このようなＬＥＤばかりではなく、例えば、小型で薄型のＥＬ(Electric Luminescence)発光パネルなどであってもよい。また、表示部２７は、文字情報や画像情報を表示することができる液晶ディスプレイなどを用いることもできる。
【００２９】
データ記憶部２５は、防犯システム１を構成する検知センサ１０ｎの全ての識別情報を、検知センサ１０ｎを設置した検知エリアを特定することができる情報に対応付けて記憶している。検知エリアを特定することができる情報は、例えば、検知エリアと対応付けられた発光ランプである表示部２７を特定する情報であったり、液晶ディスプレイや発光パネルである表示部２７に表示させるシンボル情報などである。
【００３０】
これにより、検知センサ１０ｎから送信された検知信号より取得される識別情報から、データ記憶部２５に対応付けられた情報を取得し、表示部２７を介してユーザに提示することで、侵入者が検知された検知エリアを特定することができる。
【００３１】
信号処理部２４は、検知センサ１０ｎから送信され、アンテナ２１、無線送受信部２２を介して検知信号が受信されたことに応じて、変復調部２３で復調された検知信号に添付されている識別情報と、データ記憶部２５に記憶されている検知センサ１０ｎを一意に特定する識別情報とを比較し、対応付けて記憶されている情報を読み出すとともに、音響部２８を鳴動させる。そして、信号処理部２４は、読み出した情報で特定される侵入者が検知された検知エリアを表示部２７を介してユーザに提示する。
【００３２】
受信器本体２０Ａは、検知エリア毎に切モード、報知モード、警戒モードといった受信器本体２０Ａの動作モードである監視モードを設定することができる。
【００３３】
検知エリアを切モードに設定すると、受信器本体２０Ａは、切モードとした検知エリアに設置された検知センサ１０ｎから送信される検知信号を受信したとしても警報音を鳴動させない。切モードは、受信器本体２０Ａの動作状態を休止状態とする動作モードである。
【００３４】
また、検知エリアを報知モードにすると、受信器本体２０Ａは、報知モードとした検知エリアに設置された検知センサ１０ｎから送信される検知信号を受信した場合に報知音を鳴動させるよう待機する。信号処理部２４は、この報知モード時に検知信号を受信したことに応じて、音響部２８、表示部２７でそれぞれ報知音（報知メッセージ）の発報や、報知表示（例えば、緑色ランプ点灯）を実行させる。
【００３５】
また、検知エリアを警戒モードに設定すると、受信器本体２０Ａは、警戒モードとした検知エリアに設置された検知センサ１０ｎから送信される検知信号を受信した場合に警報音を鳴動させるよう待機する。信号処理部２４は、この警戒モード時に検知信号を受信したことに応じて、音響部２８、表示部２７でそれぞれ警報音（警報メッセージ）の発報や、警報表示（例えば、赤色ランプ点灯）を実行させる。また、警戒モードに設定された場合、検知信号を受信したことに応じて外部装置である自動通報機を制御する制御信号を出力させるかどうかを設定することもできる。
【００３６】
次に、図１を用いて、電源部２０Ｂの機能的な構成について説明をする。図１に示すように、電源部２０Ｂは、電源変換部４１と、電源供給コネクタ４２と、商用交流電源を供給する電源線を接続する電源線接続端子４３と、受信器本体２０Ａの制御信号出力端子３０と接続される制御信号入力端子４４と、制御信号入力端子４４に入力された制御信号を外部装置へ送信するための信号線を接続する信号線接続端子４５とを備えている。
【００３７】
電源変換部４１は、電源線接続端子４３を介して供給された商用交流電源を直流電源へと変換する。電源供給コネクタ４２は、受信器本体２０Ａの電源供給端子２９と接続され、電源変換部４１で変換された直流電源を受信器本体２０Ａに供給する。
【００３８】
（防犯受信器２０の外観構成と設置した際の様子）
次に、防犯受信器２０の外観構成と、建物内に設置した際の様子について説明をする。
【００３９】
図２に、防犯受信器２０を実際に設置した様子を示す。図２（ａ）は、壁Ｗ内に埋設された電源部２０Ｂに受信器本体２０Ａを係止させた際の様子を示した正面図である。図２（ｂ）は、図２（ａ）に示す矢印Ａ方向から防犯受信器２０を視認した際の様子を示した図である。
【００４０】
図２（ａ）に示すように受信器本体２０Ａは、筐体の正面に、操作性と視認性とを考慮して操作部２６、表示部２７がそれぞれ設けられている。操作部２６として、上述した監視モードを警戒モード、報知モード、切モードへとそれぞれ切り替えるための警戒モード切替ボタン２６ａ、報知モード切替ボタン２６ｂ、解除ボタン２６ｃを備えている。
【００４１】
図２（ｂ）に示すように、電源部２０Ｂは、当該防犯システム１が敷設された建物の所定の壁Ｗ内に埋設されたスイッチボックスＳＢ内に固定設置される。スイッチボックスＳＢは、所定の規格によって定められたものであり、図示しない、壁内に敷設された商用交流電源を電送するための電源線、制御用の信号線などをそれぞれ取り纏め、電源部２０Ｂへの接続を容易にするために設けられている。スイッチボックスＳＢ内には、電源線と信号線とを完全分離するための絶縁セパレータＳＰが中央に設けられている。
【００４２】
図３は、電源部２０Ｂの分解斜視図である。図３に示すように、電源部２０Ｂは、図１に示した電源変換部４１、電源供給コネクタ４２、電源線接続端子４３、制御信号入力端子４４、信号線接続端子４５などを搭載した回路ブロック５１を筐体５２内に取り付け、さらに筐体５３で回路ブロック５１を覆うように組み付けられ、ネジ５４によりネジどめされてなる。電源部２０Ｂの筐体５３には、受信器本体２０Ａを係止するための係止部材５５がネジ５６によりネジどめされている。
【００４３】
このような電源部２０Ｂは、筐体５２を背面、筐体５３を表面とし、図３に示す矢印Ａ方向、つまり背面である筐体５２側を建物の壁内に埋設されたスイッチボックスに挿入して固定設置する。
【００４４】
図４に、電源部２０Ｂを固定設置した際の正面から視認した様子を示す。図４に示すように、受信器本体２０Ａを係止させていない状態において、電源部２０Ｂを正面方向から視認すると、係止部材５５の若干の厚みと、電源供給コネクタ４２が形成されている箇所に若干の凹みがあるだけで、壁Ｗの壁面Ｗａとほぼ水平な面状態を保っている。したがって、受信器本体２０Ａを別の電源部２０Ｂに係止させるために着脱したとしても、美観を大幅に損なうことが回避できる。
【００４５】
図５（ａ）、（ｂ）は、全ての部材が組み付けられた電源部２０Ｂをそれぞれ図３に示す矢印Ａ、Ｂ方向から視認した様子を示した図である。
【００４６】
図５（ａ）に示すように、電源線接続端子４３には、図示しない分岐ブレーカから延びる電源線ＤＬが接続され、信号線接続端子４５には、図示しない自動通報機などの外部装置から延びる信号線ＳＬが接続されている。
【００４７】
また、図５（ａ）、（ｂ）に示すように、筐体５２の略中央位置の上下方向に延びる対称な凸部材５２ａ、５２ｂによって形成される凹部ｘに挟み込むようにして、図５（ｂ）に示すように、板状の絶縁部材である絶縁セパレータＳＰを設ける。これにより、図５（ａ）に示した電源線ＤＬと信号線ＳＬとは電気磁気的に完全に分離されることになる。なお、絶縁セパレータＳＰは、図２（ｂ）に示すように、筐体５２の形状とスイッチボックスＳＢの形状に応じて、コの字状に形成されている。
【００４８】
続いて、図６を用いて、このような電源部２０Ｂに対して、受信器本体２０Ａを係止させる様子について説明をする。図６に示すように、受信器本体２０Ａの筐体６１の背面６１ａには、電源部２０Ｂの係止部材５５によって受信器本体２０Ａを係止させるための係止開口部６２が形成されている。この係止開口部６２は、係止部材５５と同一形状の第１開口部６２ａと第１開口部６２ａよりも左右方向に狭められた第２開口部６２ｂからなる。
【００４９】
電源部２０Ｂに対して受信器本体２０Ａを係止させる場合、まず、係止開口部６２の第１開口部６２ａに係止部材５５が挿入されるように、受信器本体２０Ａの位置を合わせ、続いて、第１開口部６２ａに係止部材５５が挿入された状態で、受信器本体２０Ａを下方向へと引き下げる。
【００５０】
このとき、受信器本体２０Ａに形成された第２開口部６２ｂの上側の縁である縁部６１Ｕの、電源部２０Ｂの筐体５３に形成されているストッパー部５７との接触により、受信器本体２０Ａの下方向への引き下げ動作が停止させられるとともに、受信器本体２０Ａを支持する。さらに、受信器本体２０Ａの下方向への引き下げにより、受信器本体２０Ａの第２開口部６２ｂの左右側の縁である縁部６１Ｌ、６１Ｒは、それぞれ電源部２０Ｂの係止部材５５の左右端部である端部５５Ｌ、５５Ｒと筐体５３とによって挟まれる。このように、受信器本体２０Ａは、筐体６１に形成された係止開口部６２により、電源部２０Ｂに対して係止されることになる。
【００５１】
また、電源部２０Ｂに対して受信器本体２０Ａを係止させる前段において、受信器本体２０Ａの電源供給端子２９と、電源部２０Ｂの電源供給コネクタ４２とを接続して、受信器本体２０Ａと電源部２０Ｂとを電気的に接続させる。この電気的な接続箇所は、防犯受信器２０の外観上には露出していないため、一瞥した際にあたかも防犯受信器２０が壁Ｗに固定設置され、壁Ｗ内に敷設された電源線から電源供給を受けているかの印象を与えることができる。
【００５２】
なお、図６において、受信器本体２０Ａの制御信号出力端子３０と電源部２０Ｂの制御信号入力端子４４との接続の様子については省略しているが、電源供給端子２９と電源供給コネクタ４２とを接続する際に、同じように接続を行うものとする。
【００５３】
このように、電源部２０Ｂに係止された受信器本体２０Ａは、係止させる場合と全く逆の動作により、容易に電源部２０Ｂから着脱させることができる。
【００５４】
これにより、建物内のレイアウト変更などにより、防犯受信器２０の設置位置も変更する必要があった場合には、レイアウト変更の影響を受けない箇所に設置してあるスイッチボックスＳＢを利用して新たな電源部２０Ｂを固定設置し、新たに固定設置した電源部２０Ｂに対して着脱した受信器本体２０Ａを係止させる。また、建物内に防犯システム１を敷設する際に、レイアウト変更を想定し、複数のスイッチボックスＳＢを設置してあらかじめ電源部２０Ｂを固定設置させておくと、実際にレイアウト変更などをした際に極めて容易に受信器本体２０Ａの設置場所の移動を行うことができる。
【００５５】
このように、防犯受信器２０を、固定設置した電源部２０Ｂに対して受信器本体２０Ａを着脱自在に係止させるような構成とすることで、この防犯受信器２０を一瞥した場合に、防犯受信器２０があたかも壁面に固定設置されているような印象を与えることができるため、不法に侵入した侵入者といった第３者により、不当に行われる可能性の高い防犯受信器２０への電源供給の遮断などによる防犯機能の停止行為を抑制することができる。また、建物内のレイアウト変更などがあり、一旦設置した防犯受信器２０の設置を変更する必要があった場合でも、防犯受信器２０の設置位置を容易に変更することができる。
【００５６】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【００５７】
【図１】本発明の実施の形態として示す防犯システムの構成について説明するための図である。
【図２】前記防犯システムが備える防犯受信器の外観構成について説明するための図である。
【図３】前記防犯受信器の電源部の分解斜視図である。
【図４】壁内に固定設置された前記防犯受信器の電源部を正面から視認した際の様子を示した図である。
【図５】前記防犯受信器の電源部において、スイッチボックス内に収納される部位の様子について説明するための図である。
【図６】前記防犯受信器において、固定設置された電源部に対して受信器本体を係止させる様子について説明するための図である。
【符号の説明】
【００５８】
１  防犯システム
１０ｎ  検知センサ
２０  防犯受信器
２０Ａ  受信器本体
２０Ｂ  電源部
２４  信号処理部
２９  電源供給端子
３０  制御信号出力端子
３１  外部電源入力端子
４１  電源変換部
４２  電源供給コネクタ
４３  電源線接続端子
４４  制御信号入力端子
４５  信号線接続端子
５１  回路ブロック
５２  筐体
５３  筐体
５５  係止部材
５５Ｌ  端部
５５Ｒ  端部
５７  ストッパー部
６１  筐体
６１Ｌ  縁部
６１Ｒ  縁部
６１Ｕ  縁部
６１ａ  背面
６２  係止開口部
６２ａ  第１開口部
６２ｂ  第２開口部
【図１】
2008217485.tif 000003
【図２】
2008217485.tif 000004
【図３】
2008217485.tif 000005
【図４】
2008217485.tif 000006
【図５】
2008217485.tif 000007
【図６】
2008217485.tif 000008